(57)【特許請求の範囲】
【請求項１】
基地局（ＢＳ）によるワイヤレス通信のための方法であって、
第１の持続時間の間、狭帯域リソースの第１のセット中で第１のタイプの信号を送信することと、
第２の持続時間の間、狭帯域リソースの第２のセット中で第２のタイプの信号を送信することと、ここにおいて、前記第１および第２の持続時間は重複する、
を備え、
前記方法は、
ユーザ機器（ＵＥ）が狭帯域リソースの前記第１のセットから狭帯域リソースの前記第２のセットにチューンアウェイすることになる、前記第１および第２の持続時間中のチューンアウェイ期間を決定するために、前記ＵＥと通信すること、ここにおいて、前記チューンアウェイ期間は、前記第１のタイプの信号または前記第２のタイプの信号のうちの少なくとも１つのバンドリングサイズに基づく、
をさらに備えることを特徴とする、方法。
【請求項２】
基地局（ＢＳ）によるワイヤレス通信のための方法であって、
第１の持続時間の間、狭帯域リソースの第１のセット中でブロードキャスト送信を備える第１のタイプの信号を送信することと、
第２の持続時間の間、狭帯域リソースの第２の異なるセット中でユニキャスト送信を備える第２のタイプの信号を送信することと、ここにおいて、前記第１および第２の持続時間は重複する、
を備え、
前記方法は、
狭帯域リソースの前記第１のセットから狭帯域リソースの前記第２のセットにチューンアウェイするために、前記ユニキャスト送信のバンドリングサイズに基づく第１の間欠受信（ＤＲＸ）サイクルをユーザ機器（ＵＥ）に与えること
をさらに備えることを特徴とする、方法。
【請求項３】
前記第１のタイプの信号または前記第２のタイプの信号のうちの少なくとも１つが、周波数ホッピング送信を備える、請求項１または２に記載の方法。
【請求項４】
前記第１のタイプの信号がブロードキャスト送信を備え、前記第２のタイプの信号がユニキャスト送信を備える、請求項１に記載の方法。
【請求項５】
前記ブロードキャスト送信が、物理ブロードキャストチャネル（ＰＢＣＨ）、システム情報ブロック（ＳＩＢ）、ページング送信、またはランダムアクセス応答（ＲＡＲ）を備え、
前記ユニキャスト送信が、物理ダウンリンク制御チャネル（ＰＤＣＣＨ）または物理ダウンリンク共有チャネル（ＰＤＳＣＨ）を備える、
請求項２または４に記載の方法。
【請求項６】
前記ブロードキャスト送信がページング送信を備え、前記第２の持続時間がページング機会を備える、または
前記ブロードキャスト送信がＲＡＲを備え、前記方法が、狭帯域リソースの第３のセット中でアップリンクランダムアクセスチャネル（ＲＡＣＨ）メッセージを受信することをさらに備える、
請求項５に記載の方法。
【請求項７】
前記第１の持続時間が第２のＤＲＸサイクルに基づき、ここにおいて、前記第２のＤＲＸサイクルは、前記第１のＤＲＸサイクルと重複しないまたは少なくとも部分的に重複する、
請求項２に記載の方法。
【請求項８】
ユーザ機器（ＵＥ）によるワイヤレス通信のための方法であって、
基地局（ＢＳ）が第１のタイプの信号を送信する第１の持続時間中に、狭帯域リソースの第１のセット中で前記第１のタイプの信号について監視すること、
を備え、
前記方法は、
前記ＵＥが狭帯域リソースの前記第１のセットから狭帯域リソースの第２のセットにチューンアウェイすることになる、チューンアウェイ期間を決定するために、前記ＢＳと通信することと、ここにおいて、前記チューンアウェイ期間は、前記第１のタイプの信号または第２のタイプの信号のうちの少なくとも１つのバンドリングサイズに基づく、
前記チューンアウェイ期間の間、前記第２のタイプの信号について監視するために、狭帯域リソースの第２のセットにチューンアウェイすることと、ここにおいて、前記第１の持続時間および前記チューンアウェイ期間は重複する、
によって特徴付けられる、方法。
【請求項９】
ユーザ機器（ＵＥ）によるワイヤレス通信のための方法であって、
基地局（ＢＳ）がブロードキャスト送信を備える第１のタイプの信号を送信する第１の持続時間中に、狭帯域リソースの第１のセット中で前記第１のタイプの信号について監視すること、
を備え、
前記方法は、
狭帯域リソースの前記第１のセットから狭帯域リソースの第２のセットにチューンアウェイするために、ユニキャスト送信のバンドリングサイズに基づく間欠受信（ＤＲＸ）サイクルを前記ＢＳから受信することと、
前記ＤＲＸサイクルのＤＲＸオン持続時間の間、前記ユニキャスト送信を備える第２のタイプの信号について監視するために、狭帯域リソースの前記第２のセットにチューンアウェイすることと、ここにおいて、前記第１の持続時間および前記ＤＲＸオン持続時間は重複する、
によって特徴付けられる、方法。
【請求項１０】
狭帯域リソースの前記第１のセットおよび狭帯域リソースの前記第２のセットが複数の狭帯域領域を備え、
前記監視することが、周波数ホッピングに基づいて狭帯域リソースの前記第１のセットまたは前記第２のセット中の狭帯域を監視することを備え、
前記方法は、前記第１のタイプの信号または前記第２のタイプの信号について監視するために、狭帯域リソースの前記第１のセットまたは前記第２のセットの異なる狭帯域領域に再チューンすることをさらに備える、
請求項８または９に記載の方法。
【請求項１１】
前記第１の持続時間は、前記第１のタイプの信号が正常に復号されるまでの持続時間を備え、
前記チューンアウェイ期間は、前記第２のタイプの信号が正常に復号されるまでの持続時間を備える、
請求項８に記載の方法。
【請求項１２】
狭帯域リソースの前記第１のセットの第１の部分上で前記第１のタイプの信号を復号することと、
前記第１のタイプの信号が正常に復号されると、狭帯域リソースの前記第１のセットの第２の部分を前記第２のタイプの信号について監視することと
をさらに備える、請求項８または９に記載の方法。
【請求項１３】
第３の持続時間の間、前記第１のタイプの信号または前記第２のタイプの信号について監視するために、狭帯域リソースの第３のセットにチューンアウェイすること
をさらに備える、請求項８または９に記載の方法。
【請求項１４】
請求項１ないし７のいずれか一項に記載の方法を実行するための手段を備える、基地局（ＢＳ）によるワイヤレス通信のための装置。
【請求項１５】
請求項９ないし１３のいずれか一項に記載の方法を実行するための手段を備える、ユーザ機器（ＵＥ）によるワイヤレス通信のための装置。
【発明の詳細な説明】
【技術分野】
【０００１】
関連出願の相互参照および優先権主張
[0001]本出願は、すべての適用可能な目的のためにどちらもそれらの全体が参照により本明細書に組み込まれる、２０１５年４月１０日に出願された仮特許出願第６２／１４６，１３７号の利益を主張する、２０１６年４月８日に出願された米国出願第１５／０９４，３３４号の優先権を主張する。
【０００２】
[0002]本開示のいくつかの態様は、一般にワイヤレス通信に関し、より詳細には、拡張マシンタイプ通信（ｅＭＴＣ：enhanced machine type communication）における同時狭帯域送信／受信（たとえば、ブロードキャスト−ブロードキャストまたはブロードキャスト−ユニキャスト）に関する。
【背景技術】
【０００３】
[0003]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、ロングタームエボリューション（ＬＴＥ（登録商標）：Long Term Evolution）アドバンストを含む第３世代パートナーシッププロジェクト（３ＧＰＰ（登録商標）：3rd Generation Partnership Project）ＬＴＥシステムおよび直交周波数分割多元接続（ＯＦＤＭＡ）システムがある。
【０００４】
[0004]概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
[0005]ワイヤレス通信ネットワークは、いくつかのワイヤレスデバイスのための通信をサポートすることができるいくつかの基地局を含み得る。ワイヤレスデバイスはユーザ機器（ＵＥ）を含み得る。ＵＥのいくつかの例としては、セルラーフォン、スマートフォン、携帯情報端末（ＰＤＡ）、ワイヤレスモデム、ハンドヘルドデバイス、タブレット、ラップトップコンピュータ、ネットブック、スマートブック、ウルトラブックなどがあり得る。いくつかのＵＥは、基地局、別のリモートデバイス、または何らかの他のエンティティと通信し得る、センサー、メーター、モニタ、ロケーションタグ、ドローン、トラッカー、ロボットなどのリモートデバイスを含み得る、マシンタイプ通信（ＭＴＣ）ＵＥと見なされ得る。マシンタイプ通信（ＭＴＣ）は、通信の少なくとも１つの端部上の少なくとも１つのリモートデバイスに関与する通信を指すことがあり、必ずしも人間の対話を必要とするとは限らない１つまたは複数のエンティティを伴うデータ通信の形態を含み得る。ＭＴＣ  ＵＥは、たとえば、パブリックランドモバイルネットワーク（ＰＬＭＮ）を介した、ＭＴＣサーバおよび／または他のＭＴＣデバイスとのＭＴＣ通信が可能であるＵＥを含み得る。
【０００６】
[0006]ＭＴＣデバイスなどのいくつかのデバイスのカバレージを拡張するために、「バンドリング」が利用され得、「バンドリング」では、いくつかの送信が送信のバンドルとして送られ、たとえば、複数のサブフレーム上で同じ情報が送信される。
【発明の概要】
【０００７】
[0007]本開示のシステム、方法、およびデバイスは、それぞれいくつかの態様を有し、それらのうちの単一の態様が単独で本開示の望ましい属性を担当するとは限らない。次に、以下の特許請求の範囲によって表される本開示の範囲を限定することなしに、いくつかの特徴が手短に説明される。この説明を考察すれば、特に「発明を実施するための形態」と題するセクションを読めば、本開示の特徴が、ワイヤレスネットワークにおけるアクセスポイントと局との間の改善された通信を含む利点をどのように提供するかが理解されよう。
【０００８】
[0008]拡張マシンタイプ通信（ｅＭＴＣ）における同時狭帯域送信／受信（たとえば、ブロードキャスト−ブロードキャストまたはブロードキャスト−ユニキャスト）のための技法および装置が本明細書で提供される。
【０００９】
[0009]本開示のいくつかの態様は、基地局（ＢＳ）によるワイヤレス通信のための方法を提供する。本方法は、概して、第１の持続時間の間、狭帯域リソースの第１のセット中で第１のタイプの信号を送信することと、第２の持続時間の間、狭帯域リソースの第２のセット中で第２のタイプの信号を送信することとを含む。
【００１０】
[0010]本開示のいくつかの態様は、ＢＳによるワイヤレス通信のための装置を提供する。本装置は、概して、第１の持続時間の間、狭帯域リソースの第１のセット中で第１のタイプの信号を送信するための手段と、第２の持続時間の間、狭帯域リソースの第２のセット中で第２のタイプの信号を送信するための手段とを含む。
【００１１】
[0011]本開示のいくつかの態様は、ＢＳによるワイヤレス通信のための装置を提供する。本装置は、概して、第１の持続時間の間、狭帯域リソースの第１のセット中で第１のタイプの信号を送信することと、第２の持続時間の間、狭帯域リソースの第２のセット中で第２のタイプの信号を送信することとを行うように構成された少なくとも１つのプロセッサと、少なくとも１つのプロセッサと結合されたメモリとを含む。
【００１２】
[0012]本開示のいくつかの態様は、その上に記憶されたコンピュータ実行可能コードを有するコンピュータ可読媒体を提供する。コンピュータ実行可能コードは、概して、第１の持続時間の間、狭帯域リソースの第１のセット中で第１のタイプの信号を送信するためのコードと、第２の持続時間の間、狭帯域リソースの第２のセット中で第２のタイプの信号を送信するためのコードとを含む。
【００１３】
[0013]本開示のいくつかの態様は、ユーザ機器（ＵＥ）によるワイヤレス通信のための方法を提供する。本方法は、概して、第１の持続時間の間、狭帯域リソースの第１のセット中で第１のタイプの信号について監視することと、第２の持続時間の間、第２のタイプの信号について監視するために、狭帯域リソースの第２のセットにチューンアウェイ（tune-away）することとを含む。
【００１４】
[0014]本開示のいくつかの態様は、ＵＥによるワイヤレス通信のための装置を提供する。本装置は、概して、第１の持続時間の間、狭帯域リソースの第１のセット中で第１のタイプの信号について監視するための手段と、第２の持続時間の間、第２のタイプの信号について監視するために、狭帯域リソースの第２のセットにチューンアウェイするための手段とを含む。
【００１５】
[0015]本開示のいくつかの態様は、ＵＥによるワイヤレス通信のための装置を提供する。本装置は、概して、第１の持続時間の間、狭帯域リソースの第１のセット中で第１のタイプの信号について監視することと、第２の持続時間の間、第２のタイプの信号について監視するために、狭帯域リソースの第２のセットにチューンアウェイすることとを行うように構成された少なくとも１つのプロセッサと、少なくとも１つのプロセッサと結合されたメモリとを含む。
【００１６】
[0016]本開示のいくつかの態様は、その上に記憶されたコンピュータ実行可能コードを有するコンピュータ可読媒体を提供する。コンピュータ実行可能コードは、概して、第１の持続時間の間、狭帯域リソースの第１のセット中で第１のタイプの信号について監視するためのコードと、第２の持続時間の間、第２のタイプの信号について監視するために、狭帯域リソースの第２のセットにチューンアウェイするためのコードとを含む。
【００１７】
[0017]上記および関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００１８】
[0018]本開示の上記で具陳された特徴が詳細に理解され得るように、添付の図面にその一部を示す態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００１９】
【図１】[0019]本開示のいくつかの態様による、例示的なワイヤレス通信ネットワークを概念的に示すブロック図。
【図２】[0020]本開示のいくつかの態様による、ワイヤレス通信ネットワークにおいてユーザ機器（ＵＥ）と通信している発展型ノードＢ（ｅＮＢ）の一例を概念的に示すブロック図。
【図３】[0021]本開示のいくつかの態様による、ワイヤレス通信ネットワークにおいて使用するための特定の無線アクセス技術（ＲＡＴ）のための例示的なフレーム構造を概念的に示すブロック図。
【図４】[0022]本開示のいくつかの態様による、ノーマルサイクリックプレフィックスをもつダウンリンクのための例示的なサブフレームフォーマットを示す図。
【図５】[0023]本開示のいくつかの態様による、狭帯域通信のための例示的なサブフレーム構成を示す図。
【図６】[0024]本開示のいくつかの態様による、異なる狭帯域上での同時送信のためのＢＳによる例示的な動作を示す図。
【図７】[0025]本開示のいくつかの態様による、異なる狭帯域上での同時受信のためのＵＥによる例示的な動作を示す図。
【図８】[0026]本開示のいくつかの態様による、間欠受信（ＤＲＸ：discontinuous reception）サイクルに従う狭帯域チューンアウェイを示す例示的な時間周波数リソースグリッドを示す図。
【図９】[0027]本開示のいくつかの態様による、ＵＥとｅＮＢとの間の合意に従う狭帯域チューンアウェイを示す例示的な時間周波数リソースグリッドを示す図。
【図１０】[0028]本開示のいくつかの態様による、ＵＥとｅＮＢとの間の合意に従う、同じ狭帯域の異なる部分へのチューンアウェイを示す例示的な時間周波数リソースグリッドを示す図。
【図１１】[0029]本開示のいくつかの態様による、異なる狭帯域のための重複しないＤＲＸオンサイクルを示す例示的な時間周波数リソースグリッドを示す図。
【図１２】[0030]本開示のいくつかの態様による、異なる狭帯域のための重複するＤＲＸオンサイクルを示す例示的な時間周波数リソースグリッドを示す図。
【図１３】[0031]本開示のいくつかの態様による、ページング機会中の狭帯域チューンアウェイを示す例示的な時間周波数リソースグリッドを示す図。
【図１４】[0032]本開示のいくつかの態様による、ランダムアクセスチャネル（ＲＡＣＨ）プロシージャを実行するための狭帯域チューンアウェイを示す例示的な時間周波数リソースグリッドを示す図。
【図１４Ａ】本開示のいくつかの態様による、ランダムアクセスチャネル（ＲＡＣＨ）プロシージャを実行するための狭帯域チューンアウェイを示す例示的な時間周波数リソースグリッドを示す図。
【図１５】[0033]本開示のいくつかの態様による、サブフレーム組合せを伴う狭帯域チューンアウェイを示す例示的な時間周波数リソースグリッドを示す図。
【図１６】[0034]本開示のいくつかの態様による、ＤＲＸサイクルおよび周波数ホッピングに従う狭帯域チューンアウェイを示す例示的な時間周波数リソースグリッドを示す図。
【図１７】[0035]本開示のいくつかの態様による、早期復号の後の狭帯域チューンアウェイを示す例示的な時間周波数リソースグリッドを示す図。
【図１７Ａ】本開示のいくつかの態様による、早期復号の後の狭帯域チューンアウェイを示す例示的な時間周波数リソースグリッドを示す図。
【図１７Ｂ】本開示のいくつかの態様による、早期復号の後の狭帯域チューンアウェイを示す例示的な時間周波数リソースグリッドを示す図。
【発明を実施するための形態】
【００２０】
[0036]理解を容易にするために、可能な場合、各図に共通である同じ要素を指定するために同じ参照番号が使用されている。一態様において開示される要素が、特定の具陳なしに他の実施形態に対して有益に利用され得ることが企図される。
【００２１】
[0037]（たとえば、拡張マシンタイプ通信（ｅＭＴＣ）におけるものなどの）狭帯域動作では、信号の同時送信／受信がオーバーヘッドを低減するのを助けることができる。たとえば、本開示の態様は、拡張マシンタイプ通信（ｅＭＴＣ）における同時送信／受信（たとえば、ブロードキャスト−ブロードキャストまたはブロードキャスト−ユニキャスト）のための狭帯域再チューニング（retuning）のための技法および装置を提供する。以下でより詳細に説明されるように、本明細書で提示される技法は、ｅＭＴＣにおけるデバイスが、第１の持続時間の間、狭帯域リソースの第１のセット中で第１のタイプの信号について監視することと、第２の持続時間の間、第２のタイプの信号について監視するために、狭帯域リソースの第２のセットにチューンアウェイすることとを可能にし得る。同様に、送信デバイスは、狭帯域リソースの第１のセットを使用して第１のタイプの信号を送信し、狭帯域リソースの第２のセットを使用して第２のタイプの信号を送信する。添付の図面を参照しながら本開示の様々な態様が以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わせられるにせよ、本明細書で開示される本開示のいかなる態様をもカバーするものであることを、当業者は諒解されたい。たとえば、本明細書に記載の態様をいくつ使用しても、装置は実装され得、または方法は実施され得る。さらに、本開示の範囲は、本明細書に記載される本開示の様々な態様に加えてまたはそれらの態様以外に、他の構造、機能、または構造および機能を使用して実施されるそのような装置または方法をカバーするものとする。本明細書で開示される本開示のいずれの態様も、請求項の１つまたは複数の要素によって実施され得ることを理解されたい。
【００２２】
[0038]本明細書では特定の態様が説明されるが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、様々なワイヤレス技術、システム構成、ネットワーク、および送信プロトコルに広く適用可能であるものとし、それらのうちのいくつかが例として、図および好適な態様についての以下の説明において示される。発明を実施するための形態および図面は、本開示を限定するものではなく説明するものにすぎず、本開示の範囲は添付の特許請求の範囲およびそれの均等物によって定義されている。
【００２３】
[0039]「例示的」という単語は、本明細書では「例、事例、または例示の働きをすること」を意味するために使用される。「例示的」として本明細書で説明されたいかなる態様も、必ずしも他の態様よりも好適または有利であると解釈されるべきであるとは限らない。
【００２４】
[0040]本明細書で説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（Ｗ−ＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。周波数分割複信（ＦＤＤ）と時分割複信（ＴＤＤ）の両方における３ＧＰＰロングタームエボリューション（ＬＴＥ）およびＬＴＥ−アドバンスト（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のワイヤレスネットワークおよび無線技術、ならびに他のワイヤレスネットワークおよび無線技術のために使用され得る。明快のために、本技法のいくつかの態様が以下ではＬＴＥ／ＬＴＥ−Ａについて説明され、以下の説明の大部分でＬＴＥ／ＬＴＥ−Ａ用語が使用される。ＬＴＥおよびＬＴＥ−Ａは、一般にＬＴＥと呼ばれる。
【００２５】
[0041]本明細書では、３Ｇおよび／または４Ｇのワイヤレス技術に一般に関連する用語を使用して態様が説明され得るが、本開示の態様は、５Ｇ以降など、他の世代ベースの通信システムにおいて適用され得ることに留意されたい。
【００２６】
[0042]ワイヤレス通信ネットワークは、いくつかのワイヤレスデバイスのための通信をサポートすることができるいくつかの基地局を含み得る。ワイヤレスデバイスはユーザ機器（ＵＥ）を含み得る。ＵＥのいくつかの例としては、セルラーフォン、スマートフォン、携帯情報端末（ＰＤＡ）、ワイヤレスモデム、ハンドヘルドデバイス、タブレット、ラップトップコンピュータ、ネットブック、スマートブック、ウルトラブック、ウェアラブル（たとえば、スマートウォッチ、スマートブレスレット、スマートグラス、スマートリング、スマートクロージング）などがあり得る。いくつかのＵＥは、基地局、別のリモートデバイス、または何らかの他のエンティティと通信し得る、ドローン、ロボット、センサー、メーター、ロケーションタグなどのリモートデバイスを含み得る、マシンタイプ通信（ＭＴＣ）ＵＥと見なされ得る。マシンタイプ通信（ＭＴＣ）は、通信の少なくとも１つの端部上の少なくとも１つのリモートデバイスに関与する通信を指すことがあり、必ずしも人間の対話を必要とするとは限らない１つまたは複数のエンティティを伴うデータ通信の形態を含み得る。ＭＴＣ  ＵＥは、たとえば、パブリックランドモバイルネットワーク（ＰＬＭＮ）を介した、ＭＴＣサーバおよび／または他のＭＴＣデバイスとのＭＴＣ通信が可能であるＵＥを含み得る。デバイスは、モノのインターネット（ＩｏＴ）物デバイスを含み得る。
【００２７】
[0043]ＭＴＣおよび／またはｅＭＴＣにおいて動作するデバイスは、低コスト（ＬＣ）ＭＴＣデバイス、ＬＣ  ｅＭＴＣデバイスなど、限られた通信リソースをもつデバイスであり得る。ＬＣ  ＭＴＣデバイスは、特定の無線アクセス技術（ＲＡＴ）（たとえば、ＬＴＥ）において他のレガシーデバイスと共存し得、特定のＲＡＴ（たとえば、ＬＴＥ）によってサポートされる利用可能なシステム帯域幅から区分される１つまたは複数の狭帯域領域上で動作し得る。ＬＣ  ＭＴＣデバイスはまた、（たとえば、同じメッセージの繰返しが複数のサブフレームにわたって送信され得る）カバレージ拡張モード、（たとえば、繰返しが送信されないことがある）通常カバレージモードなど、異なる動作モードをサポートし得る。
【００２８】
[0044]本明細書で使用される、限られた通信リソース、たとえばより小さい帯域幅をもつデバイスは、一般に狭帯域ＵＥと呼ばれることがある。同様に、（たとえば、ＬＴＥにおける）レガシーおよび／または高度ＵＥなどのレガシーデバイスは、一般に広帯域ＵＥと呼ばれることがある。概して、広帯域ＵＥは、狭帯域ＵＥよりも大きい量の帯域幅上で動作することが可能である。
【００２９】
例示的なワイヤレス通信システム
[0045]図１は、本開示の態様が実施され得る、基地局（ＢＳ）およびユーザ機器（ＵＥ）をもつ例示的なワイヤレス通信ネットワーク１００を示す。たとえば、ワイヤレス通信ネットワーク１００中の１つまたは複数のＵＥ（たとえば、ＬＣ  ＭＴＣ  ＵＥ、ＬＣ  ｅＭＴＣ  ＵＥなど）は、第１の持続時間の間、狭帯域リソースの第１のセット中で第１のタイプの信号（たとえば、ブロードキャスト信号またはユニキャスト信号）について監視し、第２の持続時間の間、第２のタイプの信号（たとえば、別のブロードキャスト信号またはユニキャスト信号）について監視するために、狭帯域リソースの第２のセットにチューンアウェイし得る。同様に、ｅＮＢ１１０は、狭帯域リソースの第１のセットを使用して第１のタイプの信号を送信し、狭帯域リソースの第２のセットを使用して第２のタイプの信号を送信することができる。
【００３０】
[0046]ワイヤレス通信ネットワーク１００は、ＬＴＥネットワークまたは何らかの他のワイヤレスネットワークであり得る。ワイヤレス通信ネットワーク１００は、いくつかの発展型ノードＢ（ｅＮＢ）１１０と他のネットワークエンティティとを含み得る。ｅＮＢは、ユーザ機器（ＵＥ）と通信するエンティティであり、基地局、ノードＢ、アクセスポイント（ＡＰ）などと呼ばれることもある。各ｅＮＢは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００３１】
[0047]ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：closed subscriber group）中のＵＥ）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨｅＮＢ）と呼ばれることがある。図１に示されている例では、ｅＮＢ１１０ａがマクロセル１０２ａのためのマクロｅＮＢであり得、ｅＮＢ１１０ｂがピコセル１０２ｂのためのピコｅＮＢであり得、ｅＮＢ１１０ｃがフェムトセル１０２ｃのためのフェムトｅＮＢであり得る。ｅＮＢは、１つまたは複数の（たとえば、３つの）セルをサポートし得る。「ｅＮＢ」、「基地局」、および「セル」という用語は、本明細書では互換的に使用され得る。
【００３２】
[0048]ワイヤレス通信ネットワーク１００はまた、中継局を含み得る。中継局は、上流局（たとえば、ｅＮＢまたはＵＥ）からデータの送信を受信し、そのデータの送信を下流局（たとえば、ＵＥまたはｅＮＢ）に送ることができるエンティティである。中継局はまた、他のＵＥに対する送信を中継することができるＵＥであり得る。図１に示されている例では、中継（局）ｅＮＢ１１０ｄは、ｅＮＢ１１０ａとＵＥ１２０ｄとの間の通信を可能にするために、マクロｅＮＢ１１０ａおよびＵＥ１２０ｄと通信し得る。中継局は、リレーｅＮＢ、リレー基地局、リレーなどと呼ばれることもある。
【００３３】
[0049]ワイヤレス通信ネットワーク１００は、異なるタイプのｅＮＢ、たとえば、マクロｅＮＢ、ピコｅＮＢ、フェムトｅＮＢ、リレーｅＮＢなどを含む異種ネットワークであり得る。これらの異なるタイプのｅＮＢは、異なる送信電力レベル、異なるカバレージエリア、およびワイヤレス通信ネットワーク１００における干渉に対する異なる影響を有し得る。たとえば、マクロｅＮＢは、高い送信電力レベル（たとえば、５〜４０Ｗ）を有し得るが、ピコｅＮＢ、フェムトｅＮＢ、およびリレーｅＮＢは、より低い送信電力レベル（たとえば、０．１〜２Ｗ）を有し得る。
【００３４】
[0050]ネットワークコントローラ１３０は、ｅＮＢのセットに結合し得、これらのｅＮＢの協調および制御を行い得る。ネットワークコントローラ１３０はバックホールを介してｅＮＢと通信し得る。ｅＮＢはまた、たとえば、ワイヤレスバックホールまたはワイヤラインバックホールを介して直接または間接的に互いに通信し得る。
【００３５】
[0051]ＵＥ１２０（たとえば、１２０ａ、１２０ｂ、１２０ｃ）は、ワイヤレス通信ネットワーク１００全体にわたって分散され得、各ＵＥは固定または移動であり得る。ＵＥは、アクセス端末、端末、移動局（ＭＳ）、加入者ユニット、局（ＳＴＡ）などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブック、ウルトラブックなどであり得る。
【００３６】
[0052]ワイヤレス通信ネットワーク１００（たとえば、ＬＴＥネットワーク）中の１つまたは複数のＵＥ１２０はまた、たとえば、狭い帯域幅において動作するように構成されたＬＣ  ＭＴＣ  ＵＥなど、低コスト（ＬＣ）、低データレートデバイスであり得る。低コストＵＥは、（たとえば、より広い帯域幅上で動作することが可能な）ＬＴＥネットワーク中のレガシーおよび／または高度ＵＥと共存し得、ワイヤレスネットワーク中の他のＵＥ（たとえば、非ＬＣ  ＵＥ）と比較して制限された１つまたは複数の能力を有し得る。たとえば、ＬＴＥネットワーク中のレガシーおよび／または高度ＵＥと比較して、ＬＣ  ＵＥは、（レガシーＵＥに対する）最大帯域幅の低減、単一の受信無線周波数（ＲＦ）チェーン、ピークレートの低減、送信電力の低減、ランク１送信、半二重動作などのうちの１つまたは複数を用いて動作し得る。本明細書で使用される、ＭＴＣデバイス、ｅＭＴＣデバイスなど、限られた通信リソースをもつデバイスは、一般にＬＣ  ＵＥと呼ばれる。同様に、（たとえば、ＬＴＥにおける）レガシーおよび／または高度ＵＥなどのレガシーデバイスは、一般に非ＬＣ  ＵＥと呼ばれる。
【００３７】
[0053]いくつかの場合には、（たとえば、ＬＴＥ  Ｒｅｌ−１２における）狭帯域ＵＥはまた、ＬＴＥネットワーク中のレガシーおよび／または高度ＵＥがダウンリンク（ＤＬ）制御チャネルを監視するのと同様に離れて、ＤＬ制御チャネルを監視することが可能であり得る。狭帯域ＵＥは、依然として、通常ＵＥと同様の方法でダウンリンク（ＤＬ）制御チャネルを監視し得、たとえば、最初の数個のシンボル中の広帯域制御チャネル（たとえば、物理ダウンリンク制御チャネル（ＰＤＣＣＨ：physical downlink control channel））、ならびに比較的狭帯域を占有するが、サブフレームの長さにわたる狭帯域制御チャネル（たとえば、拡張ＰＤＣＣＨ（ｅＰＤＣＣＨ））について監視する。
【００３８】
[0054]狭帯域ＵＥは、より広いシステム帯域幅内で（たとえば、１．４／３／５／１０／１５／２０ＭＨｚにおいて）共存しながら、利用可能なシステム帯域幅）から区分される１．４ＭＨｚまたは６つのリソースブロック（ＲＢ）の特定の狭帯域割当てに制限され得る。さらに、狭帯域ＵＥはまた、１つまたは複数のカバレージ動作モードをサポートすることが可能であり得る。たとえば、狭帯域ＵＥは、１５ｄＢまでのカバレージ拡張をサポートすることが可能であり得る。
【００３９】
[0055]いくつかの場合には、ＵＥ（たとえば、狭帯域ＵＥまたは広帯域ＵＥ）は、ネットワークにおいて通信する前にセル探索および捕捉プロシージャを実行し得る。ある場合には、一例として図１に示されているＬＴＥネットワークに関して、ＵＥがＬＴＥセルに接続されておらず、ＬＴＥネットワークにアクセスすることを希望するとき、セル探索および捕捉プロシージャが実行され得る。これらの場合、ＵＥは、ちょうど電源投入した、ＬＴＥセルへの接続を一時的に失った後に接続を復元した、などであり得る。他の場合には、ＵＥがＬＴＥセルにすでに接続されているとき、セル探索および捕捉プロシージャが実行され得る。たとえば、ＵＥは、新しいＬＴＥセルを検出していることがあり、新しいセルへのハンドオーバを準備し得る。別の例として、ＵＥは、１つまたは複数の低電力状態において動作していることがあり（たとえば、間欠受信（ＤＲＸ）をサポートし得）、１つまたは複数の低電力状態を出ると、（ＵＥがまだ接続モードにあるにもかかわらず）セル探索および捕捉プロシージャを実行しなければならないことがある。
【００４０】
[0056]上述のように、ワイヤレス通信システム中の１つまたは複数のＵＥ１２０は、ＢＳ１１０との通信を開始するためにランダムアクセスプロシージャを使用し得る。ランダムアクセスプロシージャは、概して、切断状態または無線障害からの初期アクセス、ランダムアクセスプロシージャを必要とするハンドオーバ、ＵＥ１２０がその後に同期外れを起こした接続状態中のダウンリンクまたはアップリンクデータ着信、利用可能な専用スケジューリング要求チャネルがないアップリンクデータ着信および／あるいは他の様々な状況など、様々な状況において使用され得る。ランダムアクセスプロシージャの例としては、ランダムアクセスチャネル（ＲＡＣＨ）上で開始され得る競合ベースランダムアクセスプロシージャ、および競合なし（たとえば、非競合ベース）ランダムアクセスプロシージャがあり得る。
【００４１】
[0057]図２は、それぞれ、図１中のＢＳ／ｅＮＢ１１０のうちの１つであり得るＢＳ／ｅＮＢ１１０および図１中のＵＥ１２０のうちの１つであり得るＵＥ１２０の設計のブロック図である。ＢＳ１１０はＴ個のアンテナ２３４ａ〜２３４ｔを装備し得、ＵＥ１２０はＲ個のアンテナ２５２ａ〜２５２ｒを装備し得、ただし、概してＴ≧１およびＲ≧１である。
【００４２】
[0058]ＢＳ１１０において、送信プロセッサ２２０が、１つまたは複数のＵＥについてデータソース２１２からデータを受信し、ＵＥから受信されたチャネル品質インジケータ（ＣＱＩ）に基づいて各ＵＥのための１つまたは複数の変調およびコーディング方式（ＭＣＳ）を選択し、そのＵＥのために選択された（１つまたは複数の）ＭＣＳに基づいて各ＵＥのためのデータを処理（たとえば、符号化および変調）し、すべてのＵＥについてデータシンボルを与え得る。送信プロセッサ２２０はまた、（たとえば、半静的リソース区分情報（ＳＲＰＩ：semi-static resource partitioning information）などのための）システム情報および制御情報（たとえば、ＣＱＩ要求、許可、上位レイヤシグナリングなど）を処理し、オーバーヘッドシンボルおよび制御シンボルを与え得る。プロセッサ２２０はまた、基準信号（たとえば、共通基準信号（ＣＲＳ：common reference signal））および同期信号（たとえば、１次同期信号（ＰＳＳ：primary synchronization signal）および２次同期信号（ＳＳＳ：secondary synchronization signal））のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行し得、Ｔ個の出力シンボルストリームをＴ個の変調器（ＭＯＤ）２３２ａ〜２３２ｔに与え得る。各ＭＯＤ２３２は、出力サンプルストリームを取得するために、（たとえば、ＯＦＤＭなどのために）それぞれの出力シンボルストリームを処理し得る。各ＭＯＤ２３２はさらに、ダウンリンク信号を取得するために、出力サンプルストリームを処理（たとえば、アナログへの変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。
【００４３】
[0059]ＵＥ１２０において、アンテナ２５２ａ〜２５２ｒが、ＢＳ１１０および／または他のＢＳからダウンリンク信号を受信し得、受信信号をそれぞれ復調器（ＤＥＭＯＤ）２５４ａ〜２５４ｒに与え得る。各ＤＥＭＯＤ２５４は、入力サンプルを取得するために、それの受信信号を調整（たとえば、フィルタ処理、増幅、ダウンコンバート、およびデジタル化）し得る。各ＤＥＭＯＤ２５４はさらに、受信シンボルを取得するために、（たとえば、ＯＦＤＭなどのために）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出されたシンボルを与え得る。受信プロセッサ２５８は、検出されたシンボルを処理（たとえば、復調および復号）し、ＵＥ１２０のための復号されたデータをデータシンク２６０に与え、復号された制御情報およびシステム情報をコントローラ／プロセッサ２８０に与え得る。チャネルプロセッサは、基準信号受信電力（ＲＳＲＰ）、受信信号強度インジケータ（ＲＳＳＩ）、基準信号受信品質（ＲＳＲＱ）、ＣＱＩなどを決定し得る。
【００４４】
[0060]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＳＣ−ＦＤＭ、ＯＦＤＭなどのために）ＭＯＤ２５４ａ〜２５４ｒによってさらに処理され、ＢＳ１１０に送信され得る。ＢＳ１１０において、ＵＥ１２０および他のＵＥからのアップリンク信号は、アンテナ２３４によって受信され、ＤＥＭＯＤ２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。プロセッサ２３８は、復号されたデータをデータシンク２３９に与え、復号された制御情報をコントローラ／プロセッサ２４０に与え得る。ＢＳ１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００４５】
[0061]コントローラ／プロセッサ２４０および２８０は、それぞれＢＳ１１０およびＵＥ１２０における動作を指示し得る。たとえば、ＢＳ１１０におけるコントローラ／プロセッサ２４０および／または他のプロセッサおよびモジュールは、図６に示されている動作６００および／または本明細書で説明される技法のための他のプロセスを実行または指示し得る。同様に、ＵＥ１２０におけるコントローラ／プロセッサ２８０および／または他のプロセッサおよびモジュールは、図７に示されている動作７００および／または本明細書で説明される技法のためのプロセスを実行または指示し得る。メモリ２４２および２８２は、それぞれＢＳ１１０およびＵＥ１２０のためのデータおよびプログラムコードを記憶し得る。スケジューラ２４６は、ダウンリンク上および／またはアップリンク上でのデータ送信のためにＵＥをスケジュールし得る。
【００４６】
[0062]図３は、ＬＴＥにおけるＦＤＤのための例示的なフレーム構造３００を示す。ダウンリンクおよびアップリンクの各々についての送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示されているように）ノーマルサイクリックプレフィックスの場合は７つのシンボル期間、または拡張サイクリックプレフィックスの場合は６つのシンボル期間を含み得る。各サブフレーム中の２Ｌ個のシンボル期間は０〜２Ｌ−１のインデックスを割り当てられ得る。
【００４７】
[0063]ＬＴＥでは、ｅＮＢは、ｅＮＢによってサポートされる各セルについてシステム帯域幅の中心１．０８ＭＨｚにおいてダウンリンク上で１次同期信号（ＰＳＳ）と２次同期信号（ＳＳＳ）とを送信し得る。ＰＳＳおよびＳＳＳは、図３に示されているように、それぞれ、ノーマルサイクリックプレフィックスをもつ各無線フレームのサブフレーム０および５中のシンボル期間６および５中に送信され得る。ＰＳＳおよびＳＳＳは、セル探索および捕捉のためにＵＥによって使用され得る。ｅＮＢは、ｅＮＢによってサポートされる各セルについてシステム帯域幅にわたってセル固有基準信号（ＣＲＳ：cell-specific reference signal）を送信し得る。ＣＲＳは、各サブフレームのいくつかのシンボル期間中に送信され得、チャネル推定、チャネル品質測定、および／または他の機能を実行するためにＵＥによって使用され得る。ｅＮＢはまた、いくつかの無線フレームのスロット１中のシンボル期間０〜３中に物理ブロードキャストチャネル（ＰＢＣＨ：physical broadcast channel）を送信し得る。ＰＢＣＨは何らかのシステム情報を搬送し得る。ｅＮＢは、いくつかのサブフレームにおいて物理ダウンリンク共有チャネル（ＰＤＳＣＨ：physical downlink shared channel）上でシステム情報ブロック（ＳＩＢ：system information block）などの他のシステム情報を送信し得る。ｅＮＢは、サブフレームの第１のＢ個のシンボル期間中に、物理ダウンリンク制御チャネル（ＰＤＣＣＨ）上で制御情報／データを送信し得、ここで、Ｂは各サブフレームについて構成可能であり得る。ｅＮＢは、各サブフレームの残りのシンボル期間中に、ＰＤＳＣＨ上でトラフィックデータおよび／または他のデータを送信し得る。
【００４８】
[0064]ＬＴＥにおけるＰＳＳ、ＳＳＳ、ＣＲＳ、およびＰＢＣＨは、公開されている「Evolved Universal Terrestrial Radio Access (E-UTRA); Physical Channels and Modulation」と題する３ＧＰＰ  ＴＳ  ３６．２１１に記載されている。
【００４９】
[0065]図４は、ノーマルサイクリックプレフィックスをもつ、ダウンリンクのための２つの例示的なサブフレームフォーマット４１０および４２０を示す。ダウンリンクのための利用可能な時間周波数リソースはリソースブロックに区分され得る。各リソースブロックは、１つのスロット中で１２個のサブキャリアをカバーし得、いくつかのリソース要素を含み得る。各リソース要素は、１つのシンボル期間中に１つのサブキャリアをカバーし得、実数値または複素数値であり得る１つの変調シンボルを送るために使用され得る。
【００５０】
[0066]サブフレームフォーマット４１０は、２つのアンテナを装備したｅＮＢのために使用され得る。ＣＲＳは、シンボル期間０、４、７、および１１中にアンテナ０および１から送信され得る。基準信号は、送信機および受信機によってアプリオリに知られる信号であり、パイロットと呼ばれることもある。ＣＲＳは、たとえば、セル識別情報（ＩＤ）に基づいて生成される、セルに固有である基準信号である。図４では、ラベルＲａをもつ所与のリソース要素について、アンテナａからはそのリソース要素上で変調シンボルが送信され得、他のアンテナからはそのリソース要素上で変調シンボルが送信されないことがある。サブフレームフォーマット４２０は、４つのアンテナを装備したｅＮＢのために使用され得る。ＣＲＳは、シンボル期間０、４、７、および１１中にアンテナ０および１から送信され得、シンボル期間１および８中にアンテナ２および３から送信され得る。サブフレームフォーマット４１０とサブフレームフォーマット４２０の両方について、ＣＲＳは、セルＩＤに基づいて決定され得る、均等に離間したサブキャリア上で送信され得る。異なるｅＮＢが、それらのセルＩＤに応じて、同じまたは異なるサブキャリア上でそれらのＣＲＳを送信し得る。サブフレームフォーマット４１０とサブフレームフォーマット４２０の両方について、ＣＲＳのために使用されないリソース要素は、データ（たとえば、トラフィックデータ、制御データ、および／または他のデータ）を送信するために使用され得る。
【００５１】
[0067]ＬＴＥにおけるＦＤＤのためのダウンリンクおよびアップリンクの各々のためにインターレース構造が使用され得る。たとえば、０〜Ｑ−１のインデックスをもつＱ個のインターレースが定義され得、ただし、Ｑは、４、６、８、１０、または何らかの他の値に等しいことがある。各インターレースは、Ｑ個のフレームだけ離間されたサブフレームを含み得る。特に、インターレースｑは、サブフレームｑ、ｑ＋Ｑ、ｑ＋２Ｑなどを含み得、ただし、ｑ∈｛０，．．．，Ｑ−１｝である。
【００５２】
[0068]ワイヤレスネットワークは、ダウンリンクおよびアップリンク上でのデータ送信のためにハイブリッド自動再送要求（ＨＡＲＱ）をサポートし得る。ＨＡＲＱの場合、送信機（たとえば、ｅＮＢ１１０）は、パケットが受信機（たとえば、ＵＥ１２０）によって正確に復号されるか、または何らかの他の終了条件が遭遇されるまで、パケットの１つまたは複数の送信を送り得る。同期ＨＡＲＱの場合、パケットのすべての送信は、単一のインターレースのサブフレーム中で送られ得る。非同期ＨＡＲＱの場合、パケットの各送信は、任意のサブフレーム中で送られ得る。
【００５３】
[0069]ＵＥは、複数のｅＮＢのカバレージ内に位置し得る。これらのｅＮＢのうちの１つが、そのＵＥをサービスするために選択され得る。サービングｅＮＢは、受信信号強度、受信信号品質、経路損失などの様々な基準に基づいて選択され得る。受信信号品質は、信号対干渉プラス雑音比（ＳＩＮＲ：signal-to-interference-plus-noise ratio）、または基準信号受信品質（ＲＳＲＱ）、または何らかの他のメトリックによって定量化され得る。ＵＥは、ＵＥが１つまたは複数の干渉ｅＮＢからの高い干渉を観測し得る支配的干渉シナリオにおいて動作し得る。
【００５４】
ｅＭＴＣにおける例示的な狭帯域動作およびバンドリング
[0070]（たとえば、レガシー「非ＭＴＣ」デバイスのための）旧来のＬＴＥ設計の焦点は、スペクトル効率の改善、ユビキタスカバレージ、および拡張サービス品質（ＱｏＳ）サポートに対するものである。現在のＬＴＥシステムのダウンリンク（ＤＬ）およびアップリンク（ＵＬ）リンクバジェットは、比較的大きいＤＬおよびＵＬリンクバジェットをサポートし得る、最先端のスマートフォンおよびタブレットなど、ハイエンドデバイスのカバレージのために設計される。
【００５５】
[0071]しかしながら、上記で説明されたように、ワイヤレス通信ネットワーク（たとえば、ワイヤレス通信ネットワーク１００）中の１つまたは複数のＵＥは、ワイヤレス通信ネットワーク中の他の（広帯域）デバイスと比較して、狭帯域ＵＥなど、限られた通信リソースを有するデバイスであり得る。狭帯域ＵＥでは、限られた量の情報のみが交換される必要があり得るので、様々な要件が緩和され得る。たとえば、（広帯域ＵＥに対して）最大帯域幅が低減され得、単一の受信無線周波数（ＲＦ）チェーンが使用され得、ピークレートが低減され得（たとえば、トランスポートブロックサイズのために最高１００ビット）、送信電力が低減され得、ランク１送信が使用され得、半二重動作が実行され得る。
【００５６】
[0072]上述のように、ワイヤレス通信ネットワーク（たとえば、ワイヤレス通信ネットワーク１００）中の１つまたは複数のＵＥは、ワイヤレス通信ネットワーク中の他の（非ＬＣ）デバイスと比較して、低コスト（ＬＣ）マシンタイプ通信（ＭＴＣ）ＵＥなど、限られた通信リソースを有するデバイスであり得る。
【００５７】
[0073]たとえば、ロングタームエボリューション（ＬＴＥ）リリース１３における、いくつかのシステムでは、ｅＭＴＣは、（たとえば、１５ｄＢまでの）追加カバレージ拡張についてサポートされ得る。たとえば、図５のサブフレーム構造５００に示されているように、ｅＭＴＣでは、ＬＣ  ＭＴＣ  ＵＥは、（たとえば、６つのリソースブロック（ＲＢ）または１．４ＭＨｚ以下の）狭帯域割当てに制限され得るが、より広い利用可能なシステム帯域幅（たとえば、１．４ＭＨｚ、３ＭＨｚ、５ＭＨｚ、１０ＭＨｚ、１５ＭＨｚ、または２０ＭＨｚ）内で動作し得る。図５に示されている例では、従来のレガシー制御領域５１０が最初の数個のシンボルのシステム帯域幅にわたり得、（データ領域５２０の狭い部分にわたる）システム帯域幅の狭帯域領域５３０が、（本明細書ではＭ−ＰＤＣＣＨと呼ばれる）ＭＴＣ物理ダウンリンク制御チャネルのために、および（本明細書ではＭ−ＰＤＳＣＨと呼ばれる）ＭＴＣ物理ダウンリンク共有チャネルのために確保され得る。いくつかの場合には、狭帯域領域を監視するＭＴＣ  ＵＥは、１．４ＭＨｚまたは６つのリソースブロック（ＲＢ）において動作し得る。
【００５８】
[0074]したがって、ｅＭＴＣでは、すべてのシグナリング、すなわち、ブロードキャスト（たとえば、ＰＢＣＨおよびＳＩＢ）およびユニキャスト（たとえば、ＰＤＣＣＨ、ＰＤＳＣＨ、ＰＵＣＣＨ、およびＰＵＳＣＨ）は狭帯域である。以下でより詳細に説明されるいくつかの態様によれば、ＬＣ  ＭＴＣ  ＵＥは、たとえば、ＬＴＥシステム内で共存するために、ＬＴＥシステムの利用可能なシステム帯域幅内の異なる狭帯域領域に再チューンする（たとえば、動作するおよび／またはキャンピングする）ことが可能であり得る。
【００５９】
[0075]ＬＴＥシステム内の共存の別の例として、ＬＣ  ＵＥは、レガシー（または新しい非レガシー）送信（たとえば、ＬＴＥユニキャスト／ブロードキャストチャネル）を受信／送信するためにバンドリング（すなわち、繰返し）を使用し得る。ユニキャストの場合、バンドリングはＵＥごとであり得る。しかしながら、ブロードキャストの場合、バンドリングは、常にワーストケースＵＥのために行われ得る。たとえば、ＳＩＢ１のためのバンドリングサイズは２５６回の繰返し（２５６ｍｓ）であり得る。ＬＣ  ＭＴＣ  ＵＥはまた、リンクバジェット制限デバイスであり得、それのリンクバジェット制限に基づいて（たとえば、ＬＣ  ＭＴＣ  ＵＥにまたはそこから送信される繰り返されるメッセージの異なる量を伴う）異なる動作モードで動作し得る。たとえば、いくつかの場合には、ＬＣ  ＭＴＣ  ＵＥは、繰返しがほとんどない（たとえば、ＵＥがメッセージを正常に受信および／または送信するために必要とされる繰返しの量が小さいことがあるか、または繰返しが必要とされないことさえある）通常カバレージモードで動作し得る。代替的に、いくつかの場合には、ＬＣ  ＭＴＣ  ＵＥは、大きい量の繰返しがあり得るカバレージ拡張（ＣＥ）モードで動作し得る。低いＣＥをもついくつかのＬＣ  ＭＴＣ  ＵＥは、正常な復号または送信のためにより少ない数の繰返しを使用し得る。
【００６０】
[0076]いくつかの場合には（たとえば、ＬＴＥ  Ｒｅｌ−１３の場合）、ＬＣ  ＭＴＣ  ＵＥは、ブロードキャスト送信およびユニキャスト送信の受信に関する制限された能力を有することがある。たとえば、ＬＣ  ＭＴＣ  ＵＥによって受信されたブロードキャスト送信のための最大トランスポートブロック（ＴＢ）サイズは、１０００ビットに制限され得る。ＬＣ  ＭＴＣ  ＵＥは、ランク１送信（たとえば、単一のアンテナ）を使用し得る。さらに、いくつかの場合には、ＬＣ  ＭＴＣ  ＵＥは、サブフレーム中で２つ以上のユニキャストまたはブロードキャスト送信を受信することが可能でないことがある。さらに、いくつかの場合には、ＬＣ  ＵＥは、サブフレーム中でユニキャスト送信とブロードキャスト送信の両方を受信することが可能でないことがある。大きいバンドルサイズのブロードキャストメッセージを用いた狭帯域動作は、大きいオーバーヘッドにつながり得る。
【００６１】
[0077]上述のように、いくつかの場合には、ＬＣ  ＭＴＣ  ＵＥは、所与の時間に単一のブロードキャスト送信よりも多く受信することが可能でないことがある。たとえば、各サブフレームについて、ＬＣ  ＭＴＣ  ＵＥは、サブフレーム中でランダムアクセス応答（ＲＡＲ：random access response）メッセージ、ページングメッセージ、またはブロードキャストシグナリングなどのいずれかのみを受信することが可能であり可能であり得る。さらに、異なるブロードキャスト送信が異なる狭帯域領域中で行われ得るが、ＢＳは、同じ時間に狭帯域領域の各々について送信を同時にブロードキャストすることが可能でないことがある。したがって、いくつかの場合には、ＬＣ  ＭＴＣ  ＵＥはＢＳからの特定のブロードキャスト送信を予想しているが、ＢＳはその特定のブロードキャスト送信を実際に送信しないことがある時間があり得る。
【００６２】
[0078]ユニキャスト信号およびブロードキャスト信号の同時送信／受信ならびに／または異なる狭帯域中での異なるブロードキャスト信号の同時送信／受信ための技法が本明細書で開示される。
【００６３】
ｅＭＴＣにおける例示的な同時狭帯域送信／受信
[0079]いくつかの態様によれば、ブロードキャスト信号は、異なる信号について異なる狭帯域領域における狭帯域リソースのセットを使用して、他のブロードキャスト信号とまたはユニキャスト信号と同時に送信され得る。低コスト（ＬＣ）マシンタイプ通信（ＭＴＣ）ユーザ機器（ＵＥ）は、同時送信を受信するために、異なる狭帯域領域間でのチューニングおよび再チューニングを実行し得る。
【００６４】
[0080]図６は、本開示のいくつかの態様による、異なる狭帯域での同時送信のための例示的な動作６００を示す。動作６００は、たとえば、基地局（たとえば、ｅＮＢ１１０）によって実行され得る。動作６００は、６０２において、第１の持続時間の間、狭帯域リソースの第１のセット中で第１のタイプの信号（たとえば、ブロードキャスト）を送信することによって開始し得る。６０４において、ＢＳは、第２の持続時間の間、狭帯域リソースの第２のセット中で第２のタイプの信号（たとえば、ブロードキャストまたはユニキャスト）を送信する。信号は、バンドルされた送信であり得、周波数ホッピングされ得る。
【００６５】
[0081]図７は、本開示のいくつかの態様による、異なる狭帯域での同時送信の受信のための例示的な動作７００を示す。動作７００は、たとえば、ＬＣ  ＭＴＣ  ＵＥであり得るユーザ機器（たとえば、ＵＥ１２０）によって実行され得る。動作７００は、ＢＳによって実行される動作６００に対する、ＵＥによって実行される相補的動作であり得る。動作７００は、７０２において、第１の持続時間の間、狭帯域リソースの第１のセット中で第１のタイプの信号について監視することによって開始し得る。７０４において、ＵＥは、第２の持続時間の間、第２のタイプの信号について監視するために、狭帯域リソースの第２のセットにチューンアウェイする。
【００６６】
[0082]いくつかの態様によれば、ｅノードＢ（たとえば、ｅＮＢ１１０）は、ＵＥが異なる狭帯域領域を監視するための間欠受信（ＤＲＸ）サイクルをＵＥに与え得る。代替的に、ＵＥとｅＮＢとは、バンドルサイズ、および／またはＵＥが狭帯域間でいつチューンアウェイすることになるかに関して合意し得る。ｅＮＢは、合意されたスケジュールに従って送信し得、ＵＥは、合意されたスケジュールに従ってチューンアウェイし、監視し得る。
【００６７】
例示的な同時ブロードキャスト−ユニキャスト信号
[0083]いくつかの態様によれば、第１のタイプの信号は、ブロードキャスト信号（たとえば、物理ブロードキャストチャネル（ＰＢＣＨ）またはシステム情報ブロック（ＳＩＢ））得、第２のタイプの信号は、ユニキャスト信号（たとえば、物理ダウンリンク制御チャネル（ＰＤＣＣＨ）、物理ダウンリンク共有チャネル（ＰＤＳＣＨ）、またはランダムアクセス応答（ＲＡＲ））であり得る。いくつかの態様によれば、ＵＥは、ブロードキャスト送信（たとえば、ＳＩＢ）を復号するためにバンドルサイズ全体を必要としないことがあり、したがって、ＵＥは、ユニキャストチャネル（たとえば、ＰＤＣＣＨ）を潜在的ユニキャストデータについて監視するために、異なる狭帯域に再チューンすることができる。
【００６８】
[0084]例示的な一実装形態では、ＵＥは、チューンアウェイし得、ＤＲＸサイクルに基づき得る。図８は、本開示のいくつかの態様による、ＤＲＸサイクルに従う同時ブロードキャスト−ユニキャスト受信のための狭帯域チューンアウェイを示す例示的な時間周波数リソースグリッド８００を示す。図８に示されているように、ＵＥは、ある期間の間、狭帯域１中でＳＩＢについて監視し得、次いで、ＤＲＸオンサイクル中にＰＤＣＣＨおよび／またはＰＤＳＣＨについて監視するために、狭帯域２にチューンアウェイし得る。図８に示されているように、狭帯域間で切り替えるためにいくらかの時間（たとえば、異なるリソースを監視するように無線周波数（ＲＦ）チェーンを構成することにかかり得る時間）が必要とされるので、チューンアウェイ時間はＤＲＸオンサイクル持続時間よりも長いことがある。
【００６９】
[0085]いくつかの態様によれば、ＤＲＸサイクルは、所望のユーザアプリケーションレイテンシおよび／またはユーザのための所望のカバレージの関数であり得る。ＤＲＸオン時間は、ｅＮＢにおけるスケジューリングフレキシビリティおよび／またはユニキャスト送信のために使用されるバンドリングサイズの関数であり得る。図８に示されているように、ＵＥが、ＤＲＸオンサイクルを完了するか、またはユニキャスト送信を正常に復号すると、ＵＥは、たとえば、ＵＥが次のＤＲＸオンサイクルのためにチューンアウェイするまで、ブロードキャスト送信を監視／復号するために、狭帯域１に再チューンバック（retune back）し得る。いくつかの態様によれば、ＵＥが狭帯域１上でブロードキャスト情報を復号すると、ＵＥは狭帯域２にチューンアウェイし得る。
【００７０】
[0086]別の例示的な実装形態では、ＵＥチューンアウェイはＵＥとｅＮＢとの間で合意され得る。ｅＮＢは、ＵＥが正常に復号するための繰返し（バンドルサイズ）を知り得、したがって、ＵＥがいつチューンアウェイすることになるかを知り得る。たとえば、ｅＮＢとＵＥとは、（たとえば、所望のカバレージ拡張に基づいて）バンドリングおよび／またはチューンアウェイに関して合意し得る。バンドリングサイズは、異なる変調コーディング方式（ＭＣＳ）および／またはアグリゲーションレベルに基づいて変化し得る（たとえば、ＳＩＢが１０００ビットである場合、再チューニング時間は１００サブフレームであり得るが、ＳＩＢが２５６ビットである場合、再チューニング時間は１６サブフレームであり得る）。ｅＮＢは、カバレージ拡張モードまたはＵＥからのシグナリングから再チューン時間を知るので、ｅＮＢは、ＤＲＸサイクルをＵＥにシグナリングする必要がないことがある。
【００７１】
[0087]図９は、本開示のいくつかの態様による、ＵＥとｅＮＢとの間の合意に従う、同時ブロードキャスト−ユニキャスト受信のための狭帯域チューンアウェイを示す例示的な時間周波数リソースグリッド９００を示す。たとえば、ｅＮＢは、ＵＥがＰＤＳＣＨを復号するためのバンドリングサイズを知り得る。ＳＩＢ１は、１０００回の繰返しのバンドリングサイズを有し得るが、ＵＥは、ＳＩＢ１を正常に復号するためにＮ（たとえば、２０）回の繰返しのみを使用し得る。したがって、Ｎ個のリソースブロックが受信された後、ＵＥは狭帯域２を監視するために再チューンし得る。さらに、図９に示されているように、ｅＮＢが、ＵＥがチューンアウェイすることになることを知っている（および、切替え時間を考慮に入れ得る）時間に、ｅＮＢは狭帯域２上でユニキャストを送信し始め得る。代替的に、Ｎ個のリソースブロックがＵＥによって受信された後、図１０に示されているように、同じ狭帯域（狭帯域１）の異なる部分（たとえば、異なるリソース要素（ＲＥ））中で、ｅＮＢはユニキャスト送信を送信し得、ＵＥはそのユニキャスト送信について監視し得る。この場合、ＵＥがユニキャスト送信について監視するために、再チューニング時間は必要とされないことがある。
【００７２】
[0088]いくつかの態様によれば、ＵＥは、アンカー狭帯域制御領域および／または狭帯域ホッピング制御領域を割り当てられ得る。ＵＥが、割り当てられたアンカー狭帯域を有する場合、ＵＥがブロードキャスト信号について監視した後、ＵＥはアンカー狭帯域制御領域にチューンアウェイし得る。周波数ホッピング送信受信の後に、ＵＥは、アンカー狭帯域ホッピング制御領域にチューンアウェイし得る。
【００７３】
例示的なサブバンド依存ＤＲＸ
[0089]いくつかの態様によれば、ＤＲＸサイクルはサブバンド依存であり得る。たとえば、いくつかの狭帯域領域中で、ＵＥは、（たとえば、バンドルされたＳＩＢについて）ＤＬ信号を連続的に監視し得るが、上述のように、いくつかの他の狭帯域領域中で、ＵＥは、ＤＲＸサイクルに従ってユニキャストを監視し得る。いくつかの態様によれば、ＤＲＸサイクルは、異なるサブバンドについて独立（disjointed）であり得る。図１１に示されているように、ＵＥは、狭帯域１のための第１のＤＲＸオンサイクル中にＳＩＢについて監視し得る。ＵＥは、次いで、狭帯域２のためのＤＲＸオンサイクル中にユニキャストについて監視するためにチューンアウェイし得る。図１１に示されているように、狭帯域１のためのＤＲＸオンサイクルは、狭帯域２のためのＤＲＸオンサイクルよりも長いことがある。
【００７４】
[0090]図１１に示されているように、狭帯域１のためのＤＲＸオンサイクルと狭帯域２のためのＤＲＸオンサイクルとは重複しない（すなわち、独立である）。代替的に、ＤＲＸオンサイクルは、重複または部分重複していることがある（図１１に図示せず）。たとえば、図１２に示されているように、狭帯域２のためのＤＲＸオンサイクルは、狭帯域１のためのＤＲＸオンサイクルと部分的に重複する。
【００７５】
例示的な同時ブロードキャスト−ブロードキャスト信号
[0091]いくつかの態様によれば、第１のタイプの信号と第２のタイプの信号とは異なるブロードキャスト信号であり得る。例示的な実装形態では、ｅＮＢは、狭帯域リソースの第１のセット中で信号（たとえば、ＳＩＢ）をブロードキャストし得、狭帯域リソースの第２のセット中でページングを与え得る。ＵＥは、狭帯域リソースの第１のセット中でブロードキャスト信号について監視し得、図１３に示されているように、ページング機会があるときはいつでも、狭帯域リソースの第２のセットを監視するためにチューンアウェイし得る。ページングオケージョンの後に、ＵＥは、狭帯域リソースの第１のセット中で他のブロードキャスト信号（たとえば、ＳＩＢ）について監視するためにチューンバック（tune back）し得る。
【００７６】
[0092]別の例示的な実装形態では、ｅＮＢは、狭帯域リソースの第１のセット中で信号（たとえば、ＳＩＢ）をブロードキャストし得、ランダムアクセスプロシージャ（ＲＡＣＨ）が、狭帯域リソースの（１つまたは複数の）異なるセットを使用して実行され得る。ランダムアクセス応答（ＲＡＲ）と他のブロードキャスト信号との衝突がある場合、ＵＥは、異なる狭帯域中でＲＡＣＨを実行し、他の狭帯域中でＳＩＢを監視する代わりにＲＡＲを優先事項として監視し得る。
【００７７】
[0093]図１４〜図１４Ａは、本開示のいくつかの態様による、ランダムアクセスチャネル（ＲＡＣＨ）プロシージャを実行するための狭帯域チューンアウェイを示す例示的な時間周波数リソースグリッド１４００および１４００Ａを示す。いくつかの態様によれば、ＭＴＣおよび／またはｅＭＴＣにおけるランダムアクセスプロシージャはまた、狭帯域動作と、ランダムアクセスプロシージャにおいて使用される異なるメッセージのための異なる量のバンドリングとを使用し得る。たとえば、ＲＡＣＨプロシージャは、バンドルされたＲＡＣＨプリアンブル（たとえば、ＭＴＣ＿ＭＳＧ１）、バンドルされたランダムアクセス応答（ＲＡＲ）メッセージ（たとえば、ＭＴＣ＿ＭＳＧ２）、バンドルされた接続要求メッセージ（たとえば、ＭＴＣ＿ＭＳＧ３）、および／またはバンドルされた競合解消メッセージたとえば、（ＭＴＣ＿ＭＳＧ４）を含み得る。図１４に示されているように、ＵＥは、ＤＬ狭帯域１上でＳＩＢについて監視し得る。ＵＥは、たとえば、ＰＲＡＣＨを送信するために、ＲＡＣＨプロシージャを実行するためにＵＬ狭帯域１にチューンアウェイし得る。次いで、ＵＥは、ＲＡＲについて監視するためにＤＬ狭帯域２にチューンアウェイし得る。ＲＡＣＨを実行した後に、ＵＥは、ブロードキャストについて監視し続けるために、ＤＬ狭帯域１にチューンバックし得る。図１４Ａに示されているように、ＲＡＲ応答が失敗を示した場合、ＵＥは、ＰＲＡＣＨを再試行するために、異なるＵＬ狭帯域領域にチューンアウェイし、次いで、ＲＡＲ応答について監視するために、ＤＬ狭帯域１の異なる部分にチューンアウェイし得る。
【００７８】
例示的なサブフレーム組合せ
[0094]いくつかの態様によれば、一部のブロードキャスト（たとえば、バンドルされたＳＩＢ）は、チューンアウェイにより独立サブフレームと組み合わされ得る。冗長バージョン（ＲＶ）変化が考慮に入れられ得る。サブフレーム組合せは、切替え時間ならびにユニキャスト監視時間をも考慮し得る。図１５に示されているように、ＵＥは、狭帯域１上でＳＩＢを監視し、次いで、たとえばＤＲＸオンサイクルに基づいて、狭帯域２上でユニキャストを監視するために再チューンし得る。サブフレーム組合せは、狭帯域２上でＤＲＸオンサイクル中に監視すること、ならびに狭帯域１と狭帯域２との間の切替え時間および再チューニングバック時間の両方を考慮に入れ得る。
【００７９】
周波数ホッピングを伴う例示的な狭帯域チューニング
[0095]いくつかの態様によれば、狭帯域リソースのセット（たとえば、狭帯域１、狭帯域２）は複数の狭帯域領域を含み得る。したがって、ＵＥが、狭帯域リソース（狭帯域１）の第１のセットにチューンバックするとき、ＵＥは、たとえば、以下でより詳細に説明されるように周波数ホッピングに基づいて、異なる狭帯域領域にチューンバックし得る。いくつかの態様によれば、チャネルが周波数ホッピングされるかどうかに基づいて、追加の再チューニングが実行され得る。図１６は、本開示のいくつかの態様による、ＤＲＸサイクルおよび周波数ホッピングに従う狭帯域チューンアウェイを示す例示的な時間周波数リソースグリッド１６００を示す。たとえば、図１６に示されているように、ＵＥは、狭帯域１上で周波数ホッピングＳＩＢを監視し得る。この場合、たとえば、ＵＥが、ＤＲＸオンサイクルに従って狭帯域２上でユニキャストを監視するためにチューンアウェイし、狭帯域１に再チューンした後、ＵＥは、ＳＩＢについて監視し続けるために、狭帯域１の異なる部分（たとえば、狭帯域１内の異なるサブバンドまたはＲＥ）に再チューンし得る。この場合、次にＵＥが狭帯域２にチューンアウェイした後に、ＵＥは、図１６に示されているように、狭帯域１の異なる部分に再チューンすることになる。
【００８０】
早期復号の後の例示的な狭帯域チューニング
[0096]いくつかの態様によれば、メッセージが急速に復号された場合、ＵＥ再チューニングは変化し得る。たとえば、ＰＤＣＣＨは、バンドルサイズ１０を用いて第３のサブフレーム中で復号され得る。この場合、ＵＥは、異なるサブバンドを監視するために早期に再チューンし得る。代替的に、ＵＥは、あらゆるものが復号されると、低電力消費モード（たとえば、スリープ）に入り得る。
【００８１】
[0097]図１７〜図１７Ｂは、それぞれ、本開示のいくつかの態様による、早期復号の後の狭帯域チューンアウェイを示す例示的な時間周波数リソースグリッド１７００、１７００Ａ、および１７００Ｂを示す。図１７は、ＵＥのための例示的なデフォルト再チューン挙動を示す。図１７Ａに示されているように、ＵＥは、デフォルトチューンアウェイ期間よりも早期にＰＤＣＣＨを復号し得、したがって、ＵＥは、ＳＩＢについて監視するために、早期に狭帯域１に再チューンバックし得る。代替的に、図１７Ｂに示されているように、ＵＥがブロードキャスト信号およびユニキャスト信号をすでに復号する場合、ＵＥはスリープし得る。
【００８２】
[0098]いくつかの態様によれば、同時狭帯域送信／受信のための本明細書で説明された技法は、狭帯域モノのインターネット（ＮＢ−ＩｏＴ）に適用可能であり得る。
【００８３】
[0099]本明細書で開示される方法は、説明された方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【００８４】
[0100]本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【００８５】
[0101]本明細書で使用される「決定すること」という用語は、多種多様なアクションを包含する。たとえば、「決定すること」は、計算すること、算出すること、処理すること、導出すること、調査すること、ルックアップすること（たとえば、テーブル、データベースまたは別のデータ構造においてルックアップすること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【００８６】
[0102]いくつかの場合には、フレームを実際に送信するのではなく、デバイスは、送信のためにフレームを出力するためのインターフェースを有し得る。たとえば、プロセッサは、バスインターフェースを介して、送信のためにＲＦフロントエンドにフレームを出力し得る。同様に、フレームを実際に受信するのではなく、デバイスは、別のデバイスから受信されたフレームを取得するためのインターフェースを有し得る。たとえば、プロセッサは、バスインターフェースを介して、送信のためにＲＦフロントエンドからフレームを取得（または受信）し得る。
【００８７】
[0103]上記で説明された方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。
【００８８】
[0104]たとえば、受信するための手段および監視するための手段は、図２に示されているユーザ端末１２０の（１つまたは複数の）復調器２５４ａ〜２５４ｒ、ＭＩＭＯ検出器２５６、受信プロセッサ２５８、および／または（１つまたは複数の）アンテナ２５２ａ〜２５４ｒ、あるいは図２に示されているアクセスポイント１１０の（１つまたは複数の）復調器２３２ａ〜２３２ｒ、ＭＩＭＯ検出器２３６、受信プロセッサ２３８、および／または（１つまたは複数の）アンテナ２３４ａ〜２３４ｒを含み得る受信機を備え得る。
【００８９】
[0105]送信するための手段は、図２に示されているユーザ端末１２０の（１つまたは複数の）変調器２５４ａ〜２５４ｒ、ＴＸ  ＭＩＭＯプロセッサ２５６、送信プロセッサ２６４、および／または（１つまたは複数の）アンテナ２５２ａ〜２５２ｒ、あるいは図２に示されているアクセスポイント１１０の（１つまたは複数の）変調器２３２ａ〜２３２ｒ、ＴＸ  ＭＩＭＯプロセッサ２３０、送信プロセッサ２２０、および／または（１つまたは複数の）アンテナ２３４ａ〜２３４ｒを含み得る送信機であり得る。
【００９０】
[0106]処理するための手段、復号するための手段、および／または監視するための手段は、図２に示されているユーザ端末のＭＩＭＯ検出器２５６、受信プロセッサ２５８、および／またはコントローラ／プロセッサ２８０、あるいは図２に示されているアクセス端末１１０のコントローラ／プロセッサ２４０など、１つまたは複数のプロセッサを含み得る処理システムを備え得る。
【００９１】
[0107]いくつかの態様によれば、そのような手段は、ＰＨＹヘッダ中で即時応答指示を与えるための上記で説明された（たとえば、ハードウェアでまたはソフトウェア命令を実行することによって）様々なアルゴリズムを実装することによって、対応する機能を実行するように構成された処理システムによって実装され得る。たとえば、第１の持続時間の間、狭帯域リソースの第１のセット中で第１のタイプの信号について監視するためのアルゴリズム、および第２の持続時間の間、第２のタイプの信号について監視するために、狭帯域リソースの第２のセットにチューンアウェイするためのアルゴリズム。
【００９２】
[0108]本開示に関連して説明された様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【００９３】
[0109]ハードウェアで実装される場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路など、様々な他の回路をリンクし得るが、これらの回路は当技術分野でよく知られており、したがってこれ以上説明されない。プロセッサは、１つまたは複数の汎用および／または専用プロセッサを用いて実装され得る。例としては、マイクロプロセッサ、マイクロコントローラ、ＤＳＰプロセッサ、およびソフトウェアを実行することができる他の回路がある。当業者は、特定の適用例と、全体的なシステムに課される全体的な設計制約とに応じて、どのようにしたら処理システムについて説明された機能を最も良く実装し得るかを理解されよう。
【００９４】
[0110]ソフトウェアで実装される場合、機能は、１つまたは複数の命令またはコードとしてコンピュータ可読媒体上に記憶されるか、あるいはコンピュータ可読媒体を介して送信され得る。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。コンピュータ可読媒体は、ある場所から別の場所へのコンピュータプログラムの転送を可能にする任意の媒体を含む、コンピュータ記憶媒体と通信媒体の両方を含む。プロセッサは、機械可読記憶媒体に記憶されたソフトウェアモジュールの実行を含む、バスおよび一般的な処理を管理することを担当し得る。コンピュータ可読記憶媒体は、プロセッサがその記憶媒体から情報を読み取ることができ、その記憶媒体に情報を書き込むことができるように、プロセッサに結合され得る。代替として、記憶媒体はプロセッサに一体化され得る。例として、機械可読媒体は、すべてがバスインターフェースを介してプロセッサによってアクセスされ得る、伝送線路、データによって変調された搬送波、および／またはワイヤレスノードとは別個のその上に記憶された命令をもつコンピュータ可読記憶媒体を含み得る。代替的に、または追加として、機械可読媒体またはその任意の部分は、キャッシュおよび／または汎用レジスタファイルがそうであり得るように、プロセッサに統合され得る。機械可読記憶媒体の例は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（登録商標）（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。
【００９５】
[0111]ソフトウェアモジュールは、単一の命令、または多数の命令を備え得、いくつかの異なるコードセグメント上で、異なるプログラム間で、および複数の記憶媒体にわたって分散され得る。コンピュータ可読媒体はいくつかのソフトウェアモジュールを備え得る。ソフトウェアモジュールは、プロセッサなどの装置によって実行されたときに、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【００９６】
[0112]また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は一時的コンピュータ可読媒体（たとえば、信号）を備え得る。上記の組合せもコンピュータ可読媒体の範囲に含まれるべきである。
【００９７】
[0113]したがって、いくつかの態様は、本明細書で提示された動作を実行するためのコンピュータプログラム製品を備え得る。たとえば、そのようなコンピュータプログラム製品は、本明細書で説明された動作を実行するために１つまたは複数のプロセッサによって実行可能である命令をその上に記憶した（および／または符号化した）コンピュータ可読媒体を備え得る。たとえば、第１の持続時間の間、狭帯域リソースの第１のセット中で第１のタイプの信号について監視するための命令、および第２の持続時間の間、第２のタイプの信号について監視するために、狭帯域リソースの第２のセットにチューンアウェイするための命令。
【００９８】
[0114]さらに、本明細書で説明された方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明された方法を実行するための手段の転送を可能にするためにサーバに結合され得る。代替的に、本明細書で説明された様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明された方法および技法をデバイスに与えるための任意の他の好適な技法が利用され得る。
【００９９】
[0115]特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
以下に本願の出願当初の特許請求の範囲に記載された発明を付記する。
［Ｃ１］  基地局（ＢＳ）によるワイヤレス通信のための方法であって、
第１の持続時間の間、狭帯域リソースの第１のセット中で第１のタイプの信号を送信することと、
第２の持続時間の間、狭帯域リソースの第２のセット中で第２のタイプの信号を送信することと
を備える、方法。
［Ｃ２］  前記第１のタイプの信号または前記第２のタイプの信号のうちの少なくとも１つが、バンドルされた送信を備える、Ｃ１に記載の方法。
［Ｃ３］  前記第１のタイプの信号または前記第２のタイプの信号のうちの少なくとも１つが、周波数ホッピング送信を備える、Ｃ１に記載の方法。
［Ｃ４］  前記第１のタイプの信号がブロードキャスト送信を備え、前記第２のタイプの信号がユニキャスト送信を備える、Ｃ１に記載の方法。
［Ｃ５］  前記ブロードキャスト送信が、物理ブロードキャストチャネル（ＰＢＣＨ）、システム情報ブロック（ＳＩＢ）、ページング送信、またはランダムアクセス応答（ＲＡＲ）を備え、
前記ユニキャスト送信が、物理ダウンリンク制御チャネル（ＰＤＣＣＨ）または物理ダウンリンク共有チャネル（ＰＤＳＣＨ）を備える、
Ｃ４に記載の方法。
［Ｃ６］  前記ブロードキャスト送信がページング送信を備え、
前記第２の持続時間がページング機会を備える、
Ｃ５に記載の方法。
［Ｃ７］  前記ブロードキャスト送信がＲＡＲを備え、
前記方法が、狭帯域リソースの第３のセット中でアップリンクランダムアクセスチャネル（ＲＡＣＨ）メッセージを受信することをさらに備える、
Ｃ５に記載の方法。
［Ｃ８］  前記第２の持続時間が間欠受信（ＤＲＸ）サイクルに基づき、
前記ＤＲＸサイクルが前記ユニキャスト送信のバンドリングサイズに基づく、
Ｃ４に記載の方法。
［Ｃ９］  前記第１の持続時間または前記第２の持続時間のうちの少なくとも１つが、ユーザ機器（ＵＥ）と前記ＢＳとの間で合意された持続時間を備える、Ｃ１に記載の方法。
［Ｃ１０］  前記合意された持続時間が、前記第１のタイプの信号または前記第２のタイプの信号のうちの少なくとも１つのバンドリングサイズに基づく、Ｃ９に記載の方法。
［Ｃ１１］  前記第１の持続時間が第１の間欠受信（ＤＲＸ）サイクルに基づき、
前記第２の持続時間が第２のＤＲＸサイクルに基づく、
Ｃ１に記載の方法。
［Ｃ１２］  前記第１のＤＲＸサイクルが前記第２のＤＲＸサイクルと重複しない、Ｃ１１に記載の方法。
［Ｃ１３］  前記第１のＤＲＸサイクルが前記第２のＤＲＸサイクルと少なくとも部分的に重複する、Ｃ１１に記載の方法。
［Ｃ１４］  ユーザ機器（ＵＥ）によるワイヤレス通信のための方法であって、
第１の持続時間の間、狭帯域リソースの第１のセット中で第１のタイプの信号について監視することと、
第２の持続時間の間、第２のタイプの信号について監視するために、狭帯域リソースの第２のセットにチューンアウェイすることと
を備える、方法。
［Ｃ１５］  前記第１のタイプの信号がブロードキャスト送信を備え、前記第２のタイプの信号がユニキャスト送信を備える、Ｃ１に記載の方法。
［Ｃ１６］  前記ブロードキャスト送信が、物理ブロードキャストチャネル（ＰＢＣＨ）、システム情報ブロック（ＳＩＢ）、ページング送信、またはランダムアクセス応答（ＲＡＲ）を備え、
前記ユニキャスト送信が、物理ダウンリンク制御チャネル（ＰＤＣＣＨ）または物理ダウンリンク共有チャネル（ＰＤＳＣＨ）を備える、
Ｃ１５に記載の方法。
［Ｃ１７］  前記ブロードキャスト送信がページング送信を備え、
前記第２の持続時間がページング機会を備える、
Ｃ１６に記載の方法。
［Ｃ１８］  前記ブロードキャスト送信がＲＡＲを備え、
前記方法が、狭帯域リソースの第３のセット中でアップリンクランダムアクセスチャネル（ＲＡＣＨ）メッセージを送信することをさらに備える、
Ｃ１６に記載の方法。
［Ｃ１９］  前記第１の持続時間または前記第２の持続時間のうちの少なくとも１つが、前記ＵＥと基地局（ＢＳ）との間で合意された持続時間を備える、Ｃ１４に記載の方法。
［Ｃ２０］  前記合意された持続時間が、前記第１のタイプの信号または前記第２のタイプの信号のうちの少なくとも１つのバンドリングサイズに基づく、Ｃ１９に記載の方法。
［Ｃ２１］  前記第１の持続時間が第１の間欠受信（ＤＲＸ）サイクルに基づき、
前記第２の持続時間が第２のＤＲＸサイクルに基づく、
Ｃ１４に記載の方法。
［Ｃ２２］  前記第１のＤＲＸサイクルが前記第２のＤＲＸサイクルと重複しない、Ｃ２１に記載の方法。
［Ｃ２３］  前記第１のＤＲＸサイクルが前記第２のＤＲＸサイクルと少なくとも部分的に重複する、Ｃ２１に記載の方法。
［Ｃ２４］  狭帯域リソースの前記第１のセットおよび狭帯域リソースの前記第２のセットが複数の狭帯域領域を備え、
前記監視することが、周波数ホッピングに基づいて狭帯域リソースの前記第１のセットまたは前記第２のセット中の狭帯域を監視することを備える、
Ｃ１４に記載の方法。
［Ｃ２５］  前記第１のタイプの信号または前記第２のタイプの信号について監視するために、狭帯域リソースの前記第１のセットまたは前記第２のセットの異なる狭帯域領域に再チューンすることをさらに備える、Ｃ２４に記載の方法。
［Ｃ２６］  前記第１の持続時間は、前記第１のタイプの信号が正常に復号されるまでの持続時間を備え、
前記第２の持続時間は、前記第２のタイプの信号が正常に復号されるまでの持続時間を備える、
Ｃ１４に記載の方法。
［Ｃ２７］  狭帯域リソースの前記第１のセットの第１の部分上で前記第１のタイプの信号を復号することと、
前記第１のタイプの信号が正常に復号されると、狭帯域リソースの前記第１のセットの第２の部分を前記第２のタイプの信号について監視することと
をさらに備える、Ｃ１４に記載の方法。
［Ｃ２８］  第３の持続時間の間、前記第１のタイプの信号または前記第２のタイプの信号について監視するために、狭帯域リソースの第３のセットにチューンアウェイすること
をさらに備える、Ｃ１４に記載の方法。
［Ｃ２９］  基地局（ＢＳ）によるワイヤレス通信のための装置であって、
第１の持続時間の間、狭帯域リソースの第１のセット中で第１のタイプの信号を送信することと、
第２の持続時間の間、狭帯域リソースの第２のセット中で第２のタイプの信号を送信することと
を行うように構成された少なくとも１つのプロセッサと、
前記少なくとも１つのプロセッサと結合されたメモリと
を備える、装置。
［Ｃ３０］  ユーザ機器（ＵＥ）によるワイヤレス通信のための装置であって、
第１の持続時間の間、狭帯域リソースの第１のセット中で第１のタイプの信号について監視することと、
第２の持続時間の間、第２のタイプの信号について監視するために、狭帯域リソースの第２のセットにチューンアウェイすることと
を行うように構成された少なくとも１つのプロセッサと、
前記少なくとも１つのプロセッサと結合されたメモリと
を備える、装置。
【図１】
0006732788.tif 000002
【図２】
0006732788.tif 000003
【図３】
0006732788.tif 000004
【図４】
0006732788.tif 000005
【図５】
0006732788.tif 000006
【図６】
0006732788.tif 000007
【図７】
0006732788.tif 000008
【図８】
0006732788.tif 000009
【図９】
0006732788.tif 000010
【図１０】
0006732788.tif 000011
【図１１】
0006732788.tif 000012
【図１２】
0006732788.tif 000013
【図１３】
0006732788.tif 000014
【図１４】
0006732788.tif 000015
【図１４Ａ】
0006732788.tif 000016
【図１５】
0006732788.tif 000017
【図１６】
0006732788.tif 000018
【図１７】
0006732788.tif 000019
【図１７Ａ】
0006732788.tif 000020
【図１７Ｂ】
0006732788.tif 000021